(57)【要約】【課題】この発明は、ＩＤカードの作成時に発生するファイリングデータをファイリングサーバに登録し、この登録したファイリングデータをファイリングサーバから検索するものにおいて、各機器の増設を容易に行うことができる。【解決手段】この発明は、ＩＤカード作成システムにおいて、ＩＤカード作成時の顔画像データと申請書のイメージデータをファイリングデータとしてファイリングサーバへ登録し、この登録されているファイリングデータを検索するものにおいて、ファイリングデータを発生する機体からファイリングデータをファイリングサーバへ送る方式としてＦＴＰを使用するようにしたものである。【選択図】    図１
2004295830.tif 000002
【特許請求の範囲】
【請求項１】
ＩＤカードの作成時に利用したファイリングデータをＩＤ番号の管理の基、ＦＴＰを使用して送信する送信元機体と、
この送信元機体からＦＴＰを使用して送信されるファイリングデータを内蔵するイメージ用のデータベースに登録し、このイメージ用のデータベースの登録位置を示すデータベースキー、ＩＤ番号、ＩＰアドレスからなる検索情報を生成し、この生成した検索情報をＦＴＰを使用して送信する少なくとも１つのファイリングサーバと、
上記ファイリングサーバからＦＴＰを使用して送信される検索情報を、内蔵する検索情報用のデータベースに登録する検索サーバと、
検索するファイリングデータに対応するＩＤ番号を上記検索サーバに送信する検索機体と、
この検索機体から送信されるＩＤ番号に対応する検索情報としてのファイリングサーバのＩＰアドレスとデータベースキーを検索サーバの検索情報用のデータベースから検索し、この検索されたＩＰアドレスのファイリングサーバのデータベースキーに基づいて、上記ファイリングサーバからファイリングデータを検索する検索手段と、
を具備したことを特徴とするファイリングデータの登録、検索システム。
【請求項２】
ＩＤカードの作成時に利用したファイリングデータをＩＤ番号の管理の基、ＦＴＰを使用して送信する送信元機体と、
この送信元機体からＦＴＰを使用して送信されるファイリングデータを内蔵するイメージ用のデータベースに登録し、このイメージ用のデータベースの登録位置を示すデータベースキー、上記ファイリングデータに付与されているＩＤ番号、ＩＰアドレスからなる検索情報を生成する少なくとも１つのファイリングサーバと、
上記ファイリングサーバからＦＴＰを使用して送信される検索情報を内蔵する検索情報用のデータベースに登録する検索サーバと、
を具備したことを特徴とするファイリングデータの登録システム。
【請求項３】
外部機器からＦＴＰを使用して送信されるファイリングデータを内蔵するイメージ用のデータベースに登録し、このイメージ用のデータベースの登録位置を示すデータベースキー、上記ファイリングデータに付与されているＩＤ番号、ＩＰアドレスからなる検索情報を生成する少なくとも１つのファイリングサーバと、
上記ファイリングサーバからＦＴＰを使用して送信される検索情報を内蔵する検索情報用のデータベースに登録する検索サーバと、
を具備したことを特徴とするファイリングデータの登録システム。
【請求項４】
ファイリングデータが登録されるイメージ用のデータベースを有し、ＩＰアドレスが付与されている少なくとも１つのファイリングサーバと、
ファイリングデータに付与されているＩＤ番号に基づき、ファイリングデータに付与されているＩＰアドレスとイメージ用のデータベースの登録位置を示すデータベースキーから構成される検索情報が登録されている検索情報用のデータベースを有する検索サーバと、
検索するファイリングデータに対応するＩＤ番号を上記検索サーバに送信する検索機体と、
この検索機体から送信されるＩＤ番号に対応する検索情報としてのファイリングサーバのＩＰアドレスとデータベースキーを検索サーバの検索情報用のデータベースから検索し、上記検索機体へ送信する処理手段と、
この処理手段により検索されたＩＰアドレスのファイリングサーバのデータベースキーに基づいて、上記ファイリングサーバからファイリングデータを検索する検索手段と、
を具備したことを特徴とするファイリングデータの検索システム。
【請求項５】
ファイリングデータが登録されるイメージ用のデータベースを有し、ＩＰアドレスが付与されている少なくとも１つのファイリングサーバと、
ファイリングデータに付与されているＩＤ番号に基づき、ファイリングデータに付与されているＩＰアドレスとイメージ用のデータベースの登録位置を示すデータベースキーから構成される検索情報が登録されている検索情報用のデータベースを有する検索サーバと、
検索するファイリングデータのＩＤ番号に対応する検索情報としてのファイリングサーバのＩＰアドレスとデータベースキーを検索サーバの検索情報用のデータベースから検索し、この検索されたＩＰアドレスのファイリングサーバのデータベースキーに基づいて、上記ファイリングサーバからファイリングデータを検索する検索手段と、
を具備したことを特徴とするファイリングデータの検索システム。
【発明の詳細な説明】
【０００１】
【発明の属する技術分野】
この発明は、ＩＤカードの作成時に発生するファイリングデータをファイリングサーバに登録し、この登録したファイリングデータをファイリングサーバから検索するファイリングデータの登録、検索システムとファイリングデータの登録システムとファイリングデータの検索システムに関する。
【０００２】
【従来の技術】
従来は、ＩＤカードの作成時に発生するファイリングデータをファイリングサーバに登録するため、１対１の通信を行うためにそれぞれの機体にアプリケーションが必要であった。またファイリングデータの送信元機体（以下、送信元機体と略す）が増設された場合、ファイリングデータを格納するサーバ（以下、ファイリングサーバと略す）に設定の追加が必要であった。また、検索を行う機体（以下、検索機体と略す）では、検索するための情報の取得、ファイリングデータの取得のためにどのサーバにどの様なデータが格納されているか設定する必要があった。またファイリングサーバを増設した場合、設定の追加、ミドルウェアの互換性の確認が必要であった。
【０００３】
従来は、送信元機体とファイリングサーバでアプリケーションによる１対１通信が必要であったため、送信元機体を増設する毎にファイリングサーバの設定が必要であった。また、送信元機体のＯＳ等に変更が発生した場合、１対１の通信を実現するための開発工数、確認工数が大きかった。また、システム拡張等によりファイリングサーバを増設する場合、検索機体の設定追加が発生した。またミドルウェアでの検索処理を採用しているため、ファイリングサーバ増設時にミドルウェアのバージョン等に問題がないか互換性を確認することが必須であった。
【０００４】
【発明が解決しようとする課題】
この発明は、ＩＤカードの作成時に発生するファイリングデータをファイリングサーバに登録し、この登録したファイリングデータをファイリングサーバから検索するものにおいて、各機器の増設を容易に行うことができるファイリングデータの登録、検索システムとファイリングデータの登録システムとファイリングデータの検索システムを提供することを目的としている。
【０００５】
【課題を解決するための手段】
この発明のファイリングデータの登録、検索システムは、ＩＤカードの作成時に利用したファイリングデータをＩＤ番号の管理の基、ＦＴＰを使用して送信する送信元機体と、この送信元機体からＦＴＰを使用して送信されるファイリングデータを内蔵するイメージ用のデータベースに登録し、このイメージ用のデータベースの登録位置を示すデータベースキー、ＩＤ番号、ＩＰアドレスからなる検索情報を生成し、この生成した検索情報をＦＴＰを使用して送信する少なくとも１つのファイリングサーバと、上記ファイリングサーバからＦＴＰを使用して送信される検索情報を、内蔵する検索情報用のデータベースに登録する検索サーバと、検索するファイリングデータに対応するＩＤ番号を上記検索サーバに送信する検索機体と、この検索機体から送信されるＩＤ番号に対応する検索情報としてのファイリングサーバのＩＰアドレスとデータベースキーを検索サーバの検索情報用のデータベースから検索し、この検索されたＩＰアドレスのファイリングサーバのデータベースキーに基づいて、上記ファイリングサーバからファイリングデータを検索する検索手段とを有する。
【０００６】
この発明のファイリングデータの登録システムは、ＩＤカードの作成時に利用したファイリングデータをＩＤ番号の管理の基、ＦＴＰを使用して送信する送信元機体と、この送信元機体からＦＴＰを使用して送信されるファイリングデータを内蔵するイメージ用のデータベースに登録し、このイメージ用のデータベースの登録位置を示すデータベースキー、上記ファイリングデータに付与されているＩＤ番号、ＩＰアドレスからなる検索情報を生成する少なくとも１つのファイリングサーバと、上記ファイリングサーバからＦＴＰを使用して送信される検索情報を内蔵する検索情報用のデータベースに登録する検索サーバとを有する。
【０００７】
この発明のファイリングデータの登録システムは、外部機器からＦＴＰを使用して送信されるファイリングデータを内蔵するイメージ用のデータベースに登録し、このイメージ用のデータベースの登録位置を示すデータベースキー、上記ファイリングデータに付与されているＩＤ番号、ＩＰアドレスからなる検索情報を生成する少なくとも１つのファイリングサーバと、上記ファイリングサーバからＦＴＰを使用して送信される検索情報を内蔵する検索情報用のデータベースに登録する検索サーバとを有する。
【０００８】
この発明のファイリングデータの検索システムは、ファイリングデータが登録されるイメージ用のデータベースを有し、ＩＰアドレスが付与されている少なくとも１つのファイリングサーバと、ファイリングデータに付与されているＩＤ番号に基づき、ファイリングデータに付与されているＩＰアドレスとイメージ用のデータベースの登録位置を示すデータベースキーから構成される検索情報が登録されている検索情報用のデータベースを有する検索サーバと、検索するファイリングデータに対応するＩＤ番号を上記検索サーバに送信する検索機体と、この検索機体から送信されるＩＤ番号に対応する検索情報としてのファイリングサーバのＩＰアドレスとデータベースキーを検索サーバの検索情報用のデータベースから検索し、上記検索機体へ送信する処理手段と、この処理手段により検索されたＩＰアドレスのファイリングサーバのデータベースキーに基づいて、上記ファイリングサーバからファイリングデータを検索する検索手段とを有する。
【０００９】
この発明のファイリングデータの検索システムは、ファイリングデータが登録されるイメージ用のデータベースを有し、ＩＰアドレスが付与されている少なくとも１つのファイリングサーバと、ファイリングデータに付与されているＩＤ番号に基づき、ファイリングデータに付与されているＩＰアドレスとイメージ用のデータベースの登録位置を示すデータベースキーから構成される検索情報が登録されている検索情報用のデータベースを有する検索サーバと、検索するファイリングデータのＩＤ番号に対応する検索情報としてのファイリングサーバのＩＰアドレスとデータベースキーを検索サーバの検索情報用のデータベースから検索し、この検索されたＩＰアドレスのファイリングサーバのデータベースキーに基づいて、上記ファイリングサーバからファイリングデータを検索する検索手段とを有する。
【００１０】
【発明の実施の形態】
以下、図面を参照してこの発明の一実施形態のＩＤカード作成システムにおけるファイリングデータの登録、検索システムを説明する。
上記ＩＤカード作成システムは、図１に示すように、ホストコンピュータ１、オンラインタイプのＩＤカード作成機２、オフラインタイプのＩＤカード作成機３、登録機体４、検索サーバ５、ファイリングサーバ６、７、検索機体８等により構成されている。
【００１１】
上記ホストコンピュータ１、ＩＤカード作成機２、登録機体４、検索サーバ５、ファイリングサーバ６、７、検索機体８は、ＬＡＮ等の通信回線９によりオンライン接続されている。
上記ホストコンピュータ１は、ＩＤカード情報をＩＤ番号に基づいて管理するものである。
【００１２】
上記ＩＤカード作成機２は、申請者、もしくは申請書の顔写真から顔画像を読取り、ＩＤカード情報をホストコンピュータ１より取得し、ＩＤカードを作成するものである。
上記ＩＤカード作成機２は、ＩＤカードを作成する際発生したファイリングデータ（顔画像、申請書画像他）を通信回線を介してファイリングサーバ６、７へ送信するものである。
【００１３】
上記ＩＤカード作成機３は、このＩＤカード作成システム（登録機体４）の設置場所とは異なった場所に設置され、ＩＤカードを作成する際発生したファイリングデータ（顔画像、申請書画像他）をリムーバルディスクとしての光磁気ディスクＭＯに保存するものである。この光磁気ディスクＭＯは、後日、このＩＤカード作成システム（登録機体４）の設置場所に逓送されるようになっている。
【００１４】
上記登録機体４は、上記ＩＤカード作成機３で光磁気ディスクＭＯに保存したＩＤカードを作成する際に発生したファイリングデータ（顔画像、申請書画像他）を読取り、ＬＡＮを介してファイリングサーバ６、７へ送るものである。
【００１５】
上記検索サーバ５は、ＦＴＰサーバ５ａを用いて、上記ファイリングサーバ６、７からＦＴＰを使用して送信される検索情報を、内蔵する検索情報用のデータベース１１に登録するものである。
【００１６】
上記ファイリングサーバ６、７は、上記ＩＤカード作成機２から送信されたファイリングデータを記録・管理するとともに、上記ＩＤカード作成機３で記憶され、光磁気ディスクＭＯによって上記登録機体４で受付けたファイリングデータを記録・管理するものである。上記ファイリングサーバ６、７は、ＦＴＰサーバ６ａ、７ａを用いて、上記ＩＤカード作成機２あるいは上記登録機体４からＦＴＰを使用して送信されるファイリングデータを、内蔵するイメージ用のデータベース１２、１３に登録するものである。
【００１７】
上記ファイリングサーバ６、７は、上記ＩＤカード作成機２あるいは登録機体４によるセッション接続を意識せず、ファイルの名前の変更（ＲＥＮＡＭＥ）を監視し、ファイル名ができ上がったところで処理を開始するものである。
【００１８】
上記検索機体８は、検索するファイリングデータに対応するＩＤ番号を上記検索サーバ５に送信するものであり、パーソナルコンピュータ等により構成されている。
上記データベース１２、１３には、ＩＤ番号としての証明書番号や免許証番号に対する申請書の記載情報（氏名、生年月日、本籍、住所、交付年月日、有効期限、免許の条件等、免許の取得年月日、取得免許の種類等の個人情報）のイメージデータと申請者の顔写真データとからなるファイリングデータ（ＩＤカード情報）が記憶されるようになっている。
【００１９】
上記ファイリングサーバ６、７は、単純にファイル名ができ上がることだけを監視することにより、処理を容易にできる。また、上記ＩＤカード作成機２あるいは登録機体４も単純に相手先にＦＴＰによりデータを送り出すだけであるため、今までの煩わしい、１対１の通信がないため、簡単に処理を行うことができる。
【００２０】
また、従来のように、上記ＩＤカード作成機２あるいは登録機体４とファイリングサーバ６、７との間で、１対１の通信を行おうとすると、それぞれにそれ相応のセッティングが必要であった。これに対し、ＦＴＰを用いることにより、
システムの拡張性、容易に増設とかができる。
【００２１】
上記したように、ＩＤカード作成システムにおいて、ＩＤカード作成時の顔画像データと申請書のイメージデータをファイリングデータとしてファイリングサーバ６、７へ送り出して登録し、この登録されているファイリングデータを検索するものにおいて、ファイリングデータを発生する機体（ＩＤカード作成機２あるいは登録機体４）からファイリングデータをファイリングサーバ６、７へ送る方式としてＦＴＰを使用することにより、容易に登録することができる。
【００２２】
また、ファイリングサーバ６、７と検索サーバ５との間も、ＦＴＰを用いて処理を行うことにより、容易にファイリングサーバ６、７を増設することができる。イメージ用のデータベースとして最初に大容量のものを組み込むことを想定せず、データの増加に合わせて増やしていくようにできる。
【００２３】
これによって、ミドルウェアの互換を取る（確認する）必要がなく、ファイリングサーバ６、７を増設した際にも検索サーバ５をそのまま利用できる。
上記のように、今後変わることのないであろうＦＴＰを用いることにより、ファイリングサーバを増設した際に確認なくそのまま持ち越せる。
【００２４】
次に、上記のような構成において、ＩＤカード作成機２によりＩＤカードを作成する際に発生したファイリングデータ（顔画像、申請書画像他）の登録通信処理を、図２に示すシーケンス図を参照しつつ説明する。
【００２５】
まず、ＩＤカード作成機２は、起動時にファイリングサーバ６とＦＴＰのセッションを確立する（ＳＴ１）。すなわち、ＩＤカード作成機２から、ファイリングサーバ６におけるＦＴＰサーバ６ａのＩＰアドレスとポートと、ログインするためのＩＤとパスワードが、ファイリングサーバ６のＦＴＰサーバ６ａに送信される。ＦＴＰサーバ６ａにより予め登録されているＩＤとパスワードと供給されるＩＤとパスワードとが一致した際に、ＦＴＰのセッションを確立する。
【００２６】
また、ファイリングサーバ６は、起動時に検索サーバ５とＦＴＰのセッションを確立する（ＳＴ２）。すなわち、ファイリングサーバ６から、検索サーバ５におけるＦＴＰサーバ５ａのＩＰアドレスとポートと、ログインするためのＩＤとパスワードが、検索サーバ５のＦＴＰサーバ５ａに送信される。ＦＴＰサーバ５ａにより予め登録されているＩＤとパスワードと供給されるＩＤとパスワードとが一致した際に、ＦＴＰのセッションを確立する。
【００２７】
また、ＩＤカード作成機２にて、申請者の顔画像を撮影するか、もしくは申請書の顔写真から顔画像を読取り、この顔画像に対してＩＤ番号により対応づけられるＩＤカード情報をホストコンピュータ１より取得し、ＩＤカードを作成する（ＳＴ３）。
【００２８】
ＩＤカード作成機２は、ＩＤカードを作成する際に発生したファイリングデータ（顔画像、申請書画像他）をファイリングサーバ６へ送信（ＰＵＴ）する（ＳＴ４）。この送信後、確実に送信された事を確認するため送信したファイルの名前の変更（ＲＥＮＡＭＥ）を行う（ＳＴ５）。ただしコマンドだけのデータである。ファイルの名前を「ＡＡＡＡ…」から「ＢＡＡＡ…」へ変更するコマンドとなっており、送り側のＩＤカード作成機２としてはファイルの名前の変更（ＲＥＮＡＭＥ）を判断した際、ファイルができていることの確認ができ、受取り側のファイリングサーバ６としてはファイルの名前の変更（ＲＥＮＡＭＥ）を判断した際、完全なファイルになったことを確認できる。
【００２９】
この際、ＦＴＰを使うことにより、ＩＤカード作成機２は、特定のディレクトリの下においてくるだけの送信を行うだけである。ファイリングサーバ６はディレクトリの下を定期的に見ていて、そこにファイルが出来上がった際に、処理を行う。
【００３０】
ファイリングサーバ６はＦＴＰにて送信されるファイリングデータＦＩＬＥを監視し、ファイリングデータＦＩＬＥが存在した場合、イメージデータをイメージ用データベース１２に格納する（ＳＴ６）。この際、ファイリングサーバ６は、ユニークな番号のイメージ用ＤＢキー（イメージ用データベース１２のイメージデータの格納位置に対応）に対してＩＤ番号（免許証番号、従業員番号）とファイリングサーバ６のアドレスからなる検索情報ＦＩＬＥを生成する（ＳＴ７）。
【００３１】
この後、ファイリングサーバ６はこの生成した検索情報ＦＩＬＥを検索サーバ５へ送信（ＰＵＴ）する（ＳＴ８）。この検索情報ＦＩＬＥの送信後、確実に送信された事を確認するために、送信したファイルの名前の変更（ＲＥＮＡＭＥ）を行う（ＳＴ９）。
【００３２】
検索サーバ５はＦＴＰにて送信される検索情報ＦＩＬＥを監視し、検索情報ＦＩＬＥが存在した場合、検索情報（イメージ用ＤＢキー、ファイリングサーバ６のアドレス情報、ＩＤ番号他）を検索情報用データベース１１に格納する（ＳＴ１０）。
また、ファイリングサーバ６の代りにファイリングサーバ７を用いる場合も上記同様に動作する。
【００３３】
次に、上記のような構成において、ＩＤカード作成機３によりＩＤカードを作成する際に発生したファイリングデータ（顔画像、申請書画像他）のファイリング処理を、図３に示すシーケンス図を参照しつつ説明する。
まず、登録機体４は、起動時にファイリングサーバ６とＦＴＰのセッションを確立する（ＳＴ１１）。ファイリングサーバ６は、起動時に検索サーバ５とＦＴＰのセッションを確立する（ＳＴ１２）。
【００３４】
また、登録機体４は上記ＩＤカード作成機３で光磁気ディスクＭＯに保存したＩＤカードを作成する際に発生したファイリングデータ（顔画像、申請書画像他）をファイリングサーバ６へ送信（ＰＵＴ）する（ＳＴ１３）。この送信後、確実に送信された事を確認するため送信したファイルの名前の変更（ＲＥＮＡＭＥ）を行う（ＳＴ１４）。ただしコマンドだけのデータである。
【００３５】
ファイリングサーバ６はＦＴＰにて送信されるファイリングデータＦＩＬＥを監視し、ファイリングデータＦＩＬＥが存在した場合、イメージデータをイメージ用データベース１２に格納する（ＳＴ１５）。この際、ファイリングサーバ６は、ＩＤ番号とファイリングサーバ６のアドレスとイメージ用データベース１２の格納位置に対応するイメージ用ＤＢキー（ユニークな番号）からなる検索情報ＦＩＬＥを生成する（ＳＴ１６）。
【００３６】
この後、ファイリングサーバ６はこの生成した検索情報ＦＩＬＥを検索サーバ５へ送信（ＰＵＴ）する（ＳＴ１７）。この検索情報ＦＩＬＥの送信後、確実に送信された事を確認するために、送信したファイルの名前の変更（ＲＥＮＡＭＥ）を行う（ＳＴ１８）。
【００３７】
検索サーバ５はファイリングサーバ６からＦＴＰにて送信される検索情報ＦＩＬＥを監視し、検索情報ＦＩＬＥが存在した場合、検索情報（イメージ用ＤＢキー、ファイリングサーバ６のアドレス情報、ＩＤ番号他）を検索情報用データベース１１に格納する（ＳＴ１９）。
また、ファイリングサーバ６の代りにファイリングサーバ７を用いる場合も上記同様に動作する。
【００３８】
次に、ファイリングデータの検索処理を、図４に示すシーケンス図を参照しつつ説明する。
まず、検索機体８にて検索条件入力後（ＳＴ２１）、検索サーバ５とのセッションを接続する（ＳＴ２２）。このセッションは、検索サーバ５のアドレスとポートを用いて、検索機体８のアプリケーションと検索サーバ５のアプリケーションとの間で行われる。
【００３９】
このセッションの接続後、検索機体８から検索サーバ５へ、検索条件に合致する検索情報としてのＩＤ番号のみによる検索要求を送信する（ＳＴ２３）。
これにより、検索サーバ５は要求のあった検索条件を元に、検索条件に合致する検索情報を検索情報用データベース１１から検索する（ＳＴ２４）。この際、１２桁のＩＤ番号のうち１１桁までの前方一致によりヒットしたものに対応する検索結果を出力する。
【００４０】
この結果、検索サーバ５は合致した全ての検索情報（ファイリングサーバ６のＩＰアドレス、ファイリングサーバ６のイメージ用ＤＢキー）を検索機体８へ検索結果として送信する（ＳＴ２５）。この際、検索サーバ５は、たとえば１２桁のＩＤ番号のうち、最初から１１桁目がユニークな番号で、最後の１桁（１２桁目）が、再発行等により変更されるものであった際、前方一致によりヒットしたものに（最初から１１桁目が一致する際に）対応する検索結果を出力する。
【００４１】
これにより、検索機体８は検索サーバ５からの１つあるいは複数の検索結果を図示しない表示部により表示する（ＳＴ２６）。また、検索機体８は検索サーバ５とのセッションを切断する（ＳＴ２７）。
また、上記表示内容に基づき、検索結果の中から１件を選択後（ＳＴ２８）、検索機体８は選択された検索情報を保持するファイリングサーバ６とのセッションを接続する（ＳＴ２９）。このセッションは、ＩＰアドレスとポートとを用いて、検索機体８のアプリケーションとファイリングサーバ６のアプリケーションとの間で行われる。
【００４２】
このセッションの接続後、検索機体８からファイリングサーバ６へ、ファイリングサーバ６のイメージ用ＤＢキーを送信し検索要求を行う（ＳＴ３０）。
ファイリングサーバ６は要求のあったイメージ用ＤＢキーを元に、合致するイメージをイメージ用ＤＢ１２から検索する（ＳＴ３１）。
ファイリングサーバ６は合致したイメージを検索機体８へ検索結果として送信する（ＳＴ３２）。
【００４３】
検索機体８は図示しない表示部の画面にイメージを表示し（ＳＴ３３）、ファイリングサーバ６とのセッションを切断する（ＳＴ３４）。
上記したように、ＩＤカード作成機、登録機体等の送信元機体よりファイリングサーバへＦＴＰ送信することにより容易に送信が行える。送信元機体の増設が容易である。
【００４４】
ファイリングサーバは送信元機体を特に意識することなく登録が行える。送信元機体を認識する必要が無く、システムの拡張性に優れている。
検索機体は、検索サーバとの通信によりファイリングサーバのアドレス、イメージ用ＤＢのキー情報を取得し、ファイリングサーバからイメージの検索が行える。ファイリングサーバを意識することなく、検索機体の増設等が容易である。
【００４５】
ファイリングサーバは、検索機体を特に意識することなく検索結果を応答することができる。またファイリングサーバ間においてデータベースミドルウェアを使用していないため、ミドルウェアのバージョン等意識する必要がない。ファイリングサーバの増設等、システムの拡張性、拡張の容易性に優れている。
【００４６】
【発明の効果】
以上詳述したように、この発明によれば、ＩＤカードの作成時に発生するファイリングデータをファイリングサーバに登録し、この登録したファイリングデータをファイリングサーバから検索するものにおいて、各機器の増設を容易に行うことができるファイリングデータの登録、検索システムとファイリングデータの登録システムとファイリングデータの検索システムを提供できる。
【００４７】
【図面の簡単な説明】
【図１】この発明の実施形態を説明するためのＩＤカード作成システムにおけるファイリングデータの登録、検索システムの概略構成を示す図。
【図２】ファイリングデータの登録処理を説明するためのシーケンス図。
【図３】ファイリングデータの登録処理を説明するためのシーケンス図。
【図４】ファイリングデータの検索処理を説明するためのシーケンス図。
【符号の説明】
１…ホストコンピュータ、２…ＩＤカード作成機、３…ＩＤカード作成機、４…登録機体、５…検索サーバ、５ａ…ＦＴＰサーバ、６．７…ファイリングサーバ、６…ファイリングサーバ、６ａ…ＦＴＰサーバ、７…ファイリングサーバ、８…検索機体、９…通信回線、１１…検索情報用データベース、１２、１３…イメージ用データベース。
【図１】
2004295830.tif 000003
【図２】
2004295830.tif 000004
【図３】
2004295830.tif 000005
【図４】
2004295830.tif 000006